(57)【特許請求の範囲】
【請求項１】
複数のレンズ群をそれぞれ保持する複数のレンズ保持部材と、
前記複数のレンズ群のうちの第２レンズ群、または該第２レンズ群より結像面側のレンズ群を保持する前記レンズ保持部材の被写体側を向く部位に周方向に沿って形成された溝と、
該溝の内周側の壁面に形成され、光軸に対して平行な円柱面と、
前記溝の外周側の壁面に形成され、被写体側に向けて次第に拡径するテーパ面と、を備え、
前記溝の位置が、該溝が形成された前記レンズ保持部材の被写体側に位置するレンズ群の結像面側の開口部の径方向外側に配置される、ことを特徴とするレンズ鏡筒。
【請求項２】
前記複数のレンズ群のうちの第１レンズ群が凸レンズである、ことを特徴とする請求項１に記載のレンズ鏡筒。
【請求項３】
複数のレンズ群をそれぞれ保持する複数のレンズ保持部材を有するレンズ鏡筒を備える光学機器であって、
前記レンズ鏡筒として、請求項１又は２に記載のレンズ鏡筒が用いられる、ことを特徴とする光学機器。
【発明の詳細な説明】
【技術分野】
【０００１】
本発明は、例えば、デジタルカメラ、銀塩カメラやビデオカメラなどの光学機器に用いられるレンズ鏡筒に関する。
【背景技術】
【０００２】
高倍率ズームレンズを備える撮像装置では、複数のレンズ群のうちの１群レンズが凸レンズであることから、２群レンズより奥側（結像側）が拡大されて見え、内部に入ったゴミ等が拡大されて見えてしまう。
【０００３】
従来、レンズ鏡筒内のレンズに付着したゴミ等を除去する技術として、レンズ鏡筒に着脱自在に取り付けられる外装部品を備え、該外装部品を取り外した位置に、レンズ鏡筒の内部空間と外部とを連通する貫通穴を形成したものが提案されている。
【０００４】
この提案では、貫通穴に差し込んだノズル等から空気を吹き込むことで、レンズ鏡筒内のレンズの表面に付着したゴミ等を容易に除去することができるとしている（特許文献１）。
【特許文献１】特開平９−５６０３号公報
【発明の開示】
【発明が解決しようとする課題】
【０００５】
しかし、上記特許文献１では、レンズ鏡筒から外装部品を取り外して貫通穴から空気を吹き込まなければならず、レンズ表面に付着したゴミの除去作業が面倒である。
【０００６】
特に、バリア機構のついているレンズ鏡筒では、バリア機構のすきまからゴミ等が入りやすく、バリア羽根が砂や塵等を弾いてレンズ鏡筒内に入れてしまうことがある。
【０００７】
砂や塵等がレンズ鏡筒の内部にまで入ってしまうと、１群レンズを通して砂や塵等が見え、特に、１群レンズが凸レンズの場合は、拡大されて砂や塵が見えるため美観が悪くなる。
【０００８】
そこで、本発明は、第１レンズ群レンズを通して見える箇所にゴミ等が入りにくくすることができ、かつゴミ等が入った場合においても該ゴミ等を容易に除去することができるレンズ鏡筒および光学機器を提供することを目的とする。
【課題を解決するための手段】
【０００９】
上記目的を達成するために、本発明のレンズ鏡筒は、複数のレンズ群をそれぞれ保持する複数のレンズ保持部材と、前記複数のレンズ群のうちの第２レンズ群、または該第２レンズ群より結像面側のレンズ群を保持する前記レンズ保持部材の被写体側を向く部位に周方向に沿って形成された溝と、該溝の内周側の壁面に形成され、光軸に対して平行な円柱面と、前記溝の外周側の壁面に形成され、被写体側に向けて次第に拡径するテーパ面と、を備え、前記溝の位置が、該溝が形成された前記レンズ保持部材の被写体側に位置するレンズ群の結像面側の開口部の径方向外側に配置される、ことを特徴とする。
【００１０】
本発明の光学機器は、複数のレンズ群をそれぞれ保持する複数のレンズ保持部材を有するレンズ鏡筒を備える光学機器であって、前記レンズ鏡筒として、請求項１又は２に記載のレンズ鏡筒が用いられる、ことを特徴とする。
【発明の効果】
【００１１】
本発明によれば、第１レンズ群を通して見える箇所にゴミ等が入りにくくすることができ、かつゴミ等が入った場合においても該ゴミ等を容易に除去することができる。
【発明を実施するための最良の形態】
【００１２】
以下、本発明の実施の形態の一例を図面を参照して説明する。
【００１３】
図１は本発明の実施の形態の一例であるレンズ鏡筒（沈胴状態）を説明するための断面図、図２は図１の部分拡大図、図３は図１に示すレンズ鏡筒のワイド端の撮影状態での断面図、図４は図３の部分拡大図である。
【００１４】
図５は１群鏡筒の斜視図、図６は２群鏡筒の斜視図、図７は２群鏡筒、３群鏡筒、および絞りシャッターユニットの関係を示す斜視図である。
【００１５】
図１〜図４に示すように、本実施形態のレンズ鏡筒は、１群鏡筒１、２群鏡筒２、３群鏡筒３、４群鏡筒４、ＣＣＤホルダー５、絞りシャッターユニット６、移動カム７１、駆動筒７３、直進筒７４、および鏡筒全体を覆って保護するカバー筒７５を備える。
【００１６】
１群鏡筒１は、内部に１群レンズ（第１レンズ群）１０を有し、１群レンズ１０と一体になって光軸方向に移動する。１群レンズ１０は、１群レンズ保持枠１１に保持され、１群調整環１２を介して１群鏡筒１に固定される。１群レンズ１０は、光学的に＋のパワーを持つ凸レンズになっている。
【００１７】
１群鏡筒１の内周側には、金属製のカムピン１ａが一体に圧入されている。また、１群鏡筒２には、階段状の受け面１ｇ（図５参照）が３ヶ所に設けられている。１群調整環１２を組立てる角度位相によって１群調整環１２の光軸方向を受ける受け面１ｇの高さを変化させることができ、これにより、１群レンズ１０の光軸方向の位置を調整する。
【００１８】
１群レンズ保持枠１１には、１群調整環１２の円錐面１２ａに接する球Ｒ面１１ａが設けられている。そして、１群レンズ保持枠１１の角度を変えることにより、撮影レンズ全体の光学性能が最も良くなるように調整すべく、１群レンズ１０を倒れ調整可能に構成している。
【００１９】
１群レンズ１０の倒れを調整して該１群レンズ１０を接着した後、１群鏡筒１に後述するバリア機構を組み込み、最後に化粧板１８で蓋をする。
【００２０】
２群鏡筒（レンズ保持部材）２は、２群レンズ（第２レンズ群）２０を保持しており、２群鏡筒２と一体に設けられたカムピン２ａ（図６参照）が移動カム筒７１のカム溝７１ｅに沿って光軸方向に移動することで２群鏡筒２が直進移動する。
【００２１】
２群鏡筒２の被写体側を向く部位には、２群レンズ２０と同心円状に２つの溝２ｃが円周方向全周に形成されている。溝２ｃの内周側の壁面は、光軸と略平行な円柱面２ｄとされ、溝２ｃの外周側の壁面は、被写体側に向けて次第に拡径する全周テーパ面２ｅとされている。
【００２２】
図４の矢印Ｏに示すように、この溝２ｃの内周側の円柱面２ｄは、砂や埃などのゴミ１００ｇが入ったとき、ゴミ１００ｇを引っ掛けることにより、ゴミ１００ｇが中央の２群レンズ２０まで到達することを阻止する。
【００２３】
また、溝２ｃの径は１群レンズ１０のＲ２面側の径より大きくなっているため、被写体側から覗いた場合に、１群レンズ１０が凸レンズで拡大されても、溝２ｃを被写体側から見ることはほとんど不可能である。
【００２４】
溝２ｃの内周側の円柱面２ｄは、全周に沿って形成されているため、図６の矢印Ｑに示すように、重力方向を図６の下側としたときに、上側にあるゴミ１００ｇは溝２ｃを伝って矢印Ｑ方向（下側）に移動する。
【００２５】
また、レンズ鏡筒を動かして姿勢を変えたときや、重力等の外力が加わったときに、溝２ｄに引っ掛かったゴミ１００ｇが溝２ｃの外周側の全周テーパ面２ｅを伝って光軸外の矢印Ｐ方向に排出される。これにより、１群レンズ１０を通して見える範囲にゴミが入りにくい構造とすることができる。
【００２６】
なお通常遮光線として使う形状は、被写体側から来た光を光軸から遠ざける方向に反射、分散させるように設計する。本発明のこの形状ではテ−パ面２ｅは光線を光軸のある内側に反射するため、遮光線としては十分には機能しないため、遮光線と類似してはいるが、形状の角度及び目的効果がまったく異なるものである。
【００２７】
３群鏡筒３は、３群レンズ保持枠３１に３群レンズ３０が保持されている。３群レンズ保持枠３１は、２つのマグネット３１ａと一体に形成されており、３つのボール３５を挟んで３群鏡筒３に不図示のバネで光軸方向に押し付けられている。
【００２８】
３群鏡筒３には、３群レンズ保持枠３１のマグネット３１ａ部分を挟んで固定されたコイル３２とホール素子３３とが設けられ、コイル３２とホール素子３３とは、フレキシブル基板３４を介して不図示の制御基板に接続されている。
【００２９】
フレキシブル基板３４を介してコイル３２に通電することにより、３群鏡筒３内で３群レンズ保持枠３１は、光軸と直交する方向に電磁力を受け、前述のボール３５が転動体となり、光軸と直交する平面上を移動することができる。
【００３０】
ホール素子３３は、マグネット３１ａの位置変化により出力を変化させるため、かかる出力変化を基に３群レンズ保持枠３１の移動量を検出することができる。
【００３１】
４群鏡筒４は、４群レンズ４０を保持しており、不図示の２本のガイドバーにより軸支されて光軸方向に移動可能になっている。４群鏡筒４を駆動するＡＦモーター４２のモーター軸には、スクリューネジ４２ａが形成されており、スクリューネジ４２ａにはナット４１が螺合されている。
【００３２】
４群鏡筒４は、不図示の引っ張りバネによりナット４１に対して光軸方向に付勢されている。従って、ＡＦモーター４２の駆動により、ナット４１が光軸方向に移動することにより、４群鏡筒４が光軸方向に移動する。
【００３３】
ＣＣＤホルダー５は、ＣＣＤセンサ５０を保持するための枠である。ＣＣＤセンサ５０の被写体側には、ゴム等の弾性部材５２が配置され、弾性部材４２とＣＣＤセンサ５０との間には、ＩＲカットフィルタ５１が配置されている。
【００３４】
また、弾性部材５２、ＩＲカットフィルタ５１、ＣＣＤセンサ５０は、ＩＲプレート５４とＣＣＤプレート５３とにより光軸方向に挟まれてユニット化されている。このユニットが、ＣＣＤホルダー５に不図示のビスにより押圧固定されている。
【００３５】
絞りシャッターユニット６は、フレキシブル基板６３を介して不図示の制御基板に接続されている。絞りシャッターユニット６は、被写体側に２枚のシャッター羽根６１を有し、結像面側に６枚の絞り羽根６２を有する。
【００３６】
２枚のシャッター羽根６１は、電磁駆動により電気的に開閉可能になっている。６枚の絞り羽根６２は、不図示のモーターの駆動により同時に開閉動作し、これにより、絞り開口径を変化させて、絞り値を制御する。
【００３７】
移動カム筒７１は、外周側にカム溝７１ｄが形成されるとともに、内周側にカム溝７１ｅ、カム溝７１ｆ、カム溝７１ｇが形成され、また、カムピン７１ａ、ドライブピン７１ｂ及び爪７１ｃが一体に形成されている。
【００３８】
固定筒７２は、内周側にカム溝７２ａを有し、移動カム筒７１のカムピン７１ａがこのカム溝７２ａに沿って移動することが可能になっている。
【００３９】
駆動筒７３は、固定筒７２の外周部に回転可能に嵌合されており、外周側には不図示のギア部が一体に形成されている。ギア部は、不図示の減速機構を介して不図示のＰＺモーターに連結されている。
【００４０】
直進筒７４は、結像面側の端部外周部にキー部７４ａを有し、キー部７４ａが固定筒７２の内周側に形成された溝７２ｂに嵌合することで、回転が規制された状態で、溝７２ｂに沿って光軸方向に移動可能となっている。
【００４１】
直進筒７４は、キー部７４ａが移動カム筒７１の爪７１ｃにより光軸方向への相対移動が規制されるため、回転しながら光軸方向に移動する移動カム筒７１と共に直進筒７４は回転せずに光軸方向に移動する。
【００４２】
次に、上記のように構成されたレンズ鏡筒の動作例を説明する。
【００４３】
ＰＺモーターの回転駆動により、駆動筒７３が回転する。駆動筒７３には、内周側に光軸方向に沿って縦溝７３ａが形成され、縦溝７３ａに移動カム筒７１のドライブピン７１ｂが嵌合しドライブピン７１ｂは駆動筒７３に対して相対的に光軸方向に沿って直進可能となる。
【００４４】
また、ドライブピン７１ｂが縦溝７３ａに嵌合することで、駆動筒７３が回転すると移動カム筒７１が同時に回転し、移動カム筒７１はカム溝７２ａに沿って回転しながら光軸方向に移動する。
【００４５】
移動カム筒７１のカムピン７１ａが固定筒７２のカム溝７２ａに沿って回転しながら光軸方向に直進移動するとき、１群鏡筒１の直進キー１ｂが直進筒７４の不図示の直進溝に沿って移動するため、１群鏡筒１は回転せずに光軸方向に直進移動する。
【００４６】
また、１群鏡筒１の内周側のカムピン１ａが移動カム筒７１の外周側のカム溝７１ｄに沿って移動するため、１群鏡筒１が光軸方向の前後に移動する。
【００４７】
同様にして、２群鏡筒２にはカムピン２ａ及び直進リブ２ｂが一体に形成され、３群鏡筒３にはカムピン３ａ及び直進キー３ｂ、直進リブ３ｃが一体に形成され、絞りシャッターユニット６にはカムピン６ａ、直進キー６ｂが一体に形成されている（図７参照）。
【００４８】
そして、カムピン２ａはカム溝７１ｅ、カムピン３ａはカム溝７１ｆ、カムピン６ａはカム溝７１ｇに沿ってそれぞれ移動する。
【００４９】
図７を参照して、３群鏡筒３の直進リブ３ｃは１対のリブが１組となっており、２つのリブの間に絞りシャッターユニット６の直進キー６ｂが入り、２つのリブの円周方向の外側を２群鏡筒２の直進リブ２ｂが挟むように配置される。
【００５０】
そして、２群鏡筒２、３群鏡筒３、および絞りシャッターユニット６が回転せずに光軸方向に直進移動する。
【００５１】
３群鏡筒３は、直進キー３ｂが固定筒７２の直進溝７２ｂに、直進筒７４の後から嵌合しており、３群鏡筒３は回転せずに光軸方向に移動するため、２群鏡筒２も絞りシャッターユニット６も回転せずに光軸方向に直進移動することができる。
【００５２】
以上のように、ＰＺモーターの回転駆動により、１群レンズ１０、２群レンズ２０、３群レンズ３０および絞りシャッターユニット６の位置を光軸方向に移動させることができる。
【００５３】
そして、各カム溝の曲線を適切に設計することにより、沈胴位置から撮影状態の位置、光学系のズーム領域でワイド端からテレ端までの位置に光学系を移動させることができる。
【００５４】
次に、図８〜図１３を参照して、１群鏡筒１に組み込まれるバリア機構について説明する。
【００５５】
図８はバリア機構の分解斜視図、図９はバリア羽根の閉状態でのバリア機構の正面図、図１０はバリア羽根の開状態でのバリア機構の正面図、図１１はバリア羽根が開きかかった回転途中の状態でのバリア機構の正面図である。
【００５６】
図１２は２対のバリア羽根を結像面側から見た図、図１３はバリア駆動環と移動カム筒との関係を説明するための図である。
【００５７】
図８に示すように、バリア機構は、バリア駆動環１３、バリアカバー１４、バリア内羽根１５、バリア外羽根１６、およびスプリング１７を有する。
【００５８】
バリア駆動環１３には、図８および図９に示すように、円周方向の３ヶ所に径方向外方に突出するフランジ部１３ｄが設けられている。フランジ爪部１３ｄが１群鏡筒１の３ヶ所のバヨネット爪部１ｄにバヨネット構造により引っ掛けられることで被写体側から光軸方向の位置が規制される。
【００５９】
結像面側は、図３を参照して、バリア駆動環１３のレール部１３ｅと１群鏡筒１のレール部１ｅとが接して摺動することで光軸方向の位置が規制される。また、光軸と直交する方向には、１群鏡筒１の径嵌合穴１ｋとバリア駆動環１３の径嵌合部１３ｈとが径方向で嵌合し、バリア駆動環１３が回転可能な状態で保持される。
【００６０】
バリア駆動環１３には、図９に示すように、結像面側から被写体側に向けて広くなるテーパ状の穴１３ａが形成されている。穴１３ａの位置は、バリア閉状態でバリア内羽根１５の外周部１５ｄの径方向外側で、バリア外羽根１６に対しても径方向の略外側に位置している。
【００６１】
また、穴１３ａの位置は、バリア駆動環１３の径嵌合部１３ｈと１群鏡筒１の径嵌合穴１ｋとの嵌合部、及びレール部１３ｅとレール部１ｅとの摺動部よりも径方向内側に配置されている。
【００６２】
穴１３ａの結像面側の外周部分は、図２および図３を参照して、結像面側に向けて次第に細くなるテーパ状に突出した形状になっている。
【００６３】
即ち、結像面側の穴１３ａを細くして、その外周をテーパ形状としている。これにより、一度穴１３ａに入ったゴミがレンズ鏡筒を下向きにしたときなどに、穴１３ａから再び出にくくすることができるとともに、１群レンズ１０の開口部１３ｂからゴミを出やすくすることができる。
【００６４】
バリアカバー１４は、１群レンズ１０の開口穴を有する蓋部材であり、外周部には、爪１４ａ，爪１４ｂがそれぞれ２つずつ形成されている。
【００６５】
爪１４ａ，爪１４ｂを１群鏡筒１のバヨネット爪部１ｉ，１ｊにバリアカバー１４を回転させて引っ掛けることにより、バリアカバー１４が１群鏡筒１に固定される。なお、図９〜図１１では、説明の便宜上、バリアカバー１４の図示は省略している。
【００６６】
２枚のバリア内羽根１５および２枚のバリア外羽根１６は、共に回転方向が対称になるように開閉自在に配置されて閉状態でバリアカバー１４の開口穴を塞いで１群レンズ１０を保護する。
【００６７】
バリア内羽根１５の基部には、表裏に軸１５ａが突設されており、一方の軸１５ａは１群鏡筒１の穴１ｈに嵌合され、他方の軸１５ａはバリア外羽根１６の穴１６ｃに嵌合されている。これにより、バリア内羽根１５とバリア外羽根１６は、軸１５ａを中心に同軸で回転可能となる。
【００６８】
そして、開くときはバリア内羽根１５の外周部１５ｄがバリア外羽根１６の爪１６ａに引っ掛かり、閉じるときバリア内羽根１５の先端部１５ｂがバリア外羽根１６の爪１６ｂに引っ掛かる。これにより、バリア外羽根１６は、バリア内羽根１５の動きに連動して回転駆動する。
【００６９】
スプリング１７は、引っ張りバネであり、２枚のバリア内羽根１５のフック部１５ｅとバリア駆動環１３の軸１３ｇとの間に掛け渡されて両者を引き合っている。バリア駆動環１３の連動レバー１３ｆは、１群鏡筒１の穴１ｆを貫通しており、沈胴時には先端が移動カム筒７１まで到達する位置に配置される。
【００７０】
図１３に示すように、移動カム筒７１は、連動レバー１３ｆに対応する位置に切り欠き部７１ｈを有し、切り欠き部７１ｈは連動レバー１３ｆを回転方向に押して回転させることができる。
【００７１】
図５に示すように、１群鏡筒１のバヨネット爪部１ｄ，１ｉ，１ｊは全て光軸と垂直な横方向にスライド成形されるため、バヨネット爪部１ｄ，１ｉ，１ｊの結像面側にはすべてスライド成形のための横穴１ｃが形成されている。この横穴１ｃは化粧板１８で全て塞がれるため、ゴミは通らない。
【００７２】
これにより、１群鏡筒１には、穴部１ｆの他は、バリア内羽根１５の軸１５ａが嵌合される穴１ｈと１群レンズ１０が入る部分しか貫通穴は形成されない。穴１ｈは、バリア内羽根１５で塞がれ、１群レンズ１０が入る部分も、１群レンズ３０と１群レンズ保持枠１１、１群調整環１２により塞がれる。
【００７３】
残る穴１ｆについては、バリア駆動環１３の連動レバー１３ｆと３ヶ所あるフランジ部１３ｄのうちの１つを同じ位相に配置し、バリアが開状態から閉状態までの移動中常に覆われるように、そのフランジ部１３ｄの角度を十分大きくなるようにしている。
【００７４】
これにより、連動レバー１３ｆのフランジ部１３ｄがバリア閉状態から開状態までバリア駆動環１３の回転によりフランジ部１３ｄが回転する間、常に穴１ｆをフランジ部１３ｄで覆うことができる。この結果、図４に示すように、穴１ｆからゴミ１００ｄが入れなくすることができる。
【００７５】
バリア内羽根１５およびバリア外羽根１６を閉じるときは、図１３に示す移動カム筒７１の切り欠き部７１ｈと連動レバー１３ｆとの作用により、バリア駆動環１３は移動カム筒７１の回転と連動して回転する。これにより、バリア内羽根１５およびバリア外羽根１６が閉じ方向に回転する。
【００７６】
バリア駆動環１３は、バリア閉状態のとき、移動カム筒に連動レバー１３ｆが押されて図９の矢印Ａ方向に回転させられることにより、光軸を中心とする矢印Ａ方向の力を受け閉位置の位相まで回転する。
【００７７】
このとき、スプリング１７がチャージされ、２枚のバリア内羽根１５の一方のバリア内羽根１５はスプリング１７に引っ張られることにより軸１５ａを中心として矢印Ｂ方向に回転し、他方のバリア内羽根１５と突き当たる位置で停止する。
【００７８】
また、バリア外羽根１６も前述のバリア内羽根１５の作用により矢印Ｃ方向に回転してバリア内羽根１５およびバリア外羽根１６が閉じられる。
【００７９】
バリア内羽根１５およびバリア外羽根１６を開くときは、移動カム筒７１の回転により連動レバー１３ｆに加えられる力が開放されると、図１１に示すように、チャージされたスプリング１７の力によりバリア駆動環１３が矢印Ｇ方向に回転する。
【００８０】
これにより、バリア駆動環１３は、ある位相でバリア駆動環１３の壁１３ｃがバリア内羽根１５の突起１５ｃを押すことによりバリア内羽根１５は矢印Ｈ方向の回転力を受けて回転を始める。
【００８１】
このとき、バリア外羽根１６の爪１６ａにバリア内羽根１５の外周部１５ｄが突き当たるため、バリア外羽根１６も矢印Ｉ方向に回転を始める。なお、図１１では、バリア外羽根１６を片側のみはずしてある。
【００８２】
また、移動カム筒７１の切り欠き部７１ｈと連動レバー１３ｆが離れるとバリア駆動環１３の回転を抑えるものがなくなるため、スプリング１７が緩む矢印Ｄ方向にさらにバリア駆動環１３が回転する。
【００８３】
バヨネット爪部１ｊは、バリア内羽根１５のストッパーとしても機能する。バリア内羽根１５の外周部１５ｄがバヨネット爪部１ｊに突き当たるまで、バリア内羽根１５が矢印Ｅ方向に回転し、バリア外羽根１６もバリア内羽根１５の外周部１５ｄに押されて一体に矢印Ｆ方向に回転し、図１０のバリア開状態になる。
【００８４】
バリア内羽根１５の開動作のとき、バリア内羽根１５とバリア駆動環１３との間にゴミが挟まった場合は、バリア内羽根１５の回転により、図４のゴミ１００ｅを矢印Ｌで示すようにバリア駆動環１３の穴１３ａからゴミ１００ｃの位置に掃き入れることができる。
【００８５】
また、バリア内羽根１５が閉状態で、バリア内羽根１５とバリア外羽根１６との隙間から入って羽根の側面に付いた図２のゴミ１００ａを矢印Ｊで示すようにバリア駆動環１３の穴１３ａからゴミ１００ｃの位置に掃き入れることができる。
【００８６】
同様に、バリア外羽根１６とバリアカバー１４との隙間から入って羽根の側面に付いた図２のゴミ１００ｂを矢印Ｋで示すようにバリア駆動環１３の穴１３ａからゴミ１００ｃの位置に掃き入れることができる。
【００８７】
また、テーパ状の穴１３ａは、バリア内羽根１５の外周部１５ｄを回転する形になるため、より広い羽根の範囲についたゴミを穴１３ａに落とすことができる。
【００８８】
また、テーパ状の穴１３ａの位置は、バリア開状態のとき、バリア内羽根１５によりほぼ覆われるため、開状態では穴１３ａからゴミが出てくることを防止でき、図４の矢印Ｍ、矢印Ｎで示すように、レンズ開口部１３ｂよりゴミ１００ｆが出てくることになる。
【００８９】
また、ゴミがバリア駆動環１３の径嵌合部１３ｈ、レール部１３ｅやフランジ部１３ｄまで届きにくくなるため、バリア駆動環１３の動きを妨げることが少なくなる。
【００９０】
なお、本発明は上記実施の形態に例示したものに限定されるものではなく、本発明の要旨を逸脱しない範囲において適宜変更可能である。
【００９１】
例えば、上記実施の形態では、デジタルカメラに用いるレンズ鏡筒を例示したが、これに限定されず、銀塩カメラやビデオカメラ、カメラ機能付携帯機器、その他の光学機器や光学機器を含む装置に用いられるレンズ鏡筒に本発明を適用してもよい。
【図面の簡単な説明】
【００９２】
【図１】本発明の実施の形態の一例であるレンズ鏡筒（沈胴状態）を説明するための断面図である。
【図２】図１の部分拡大図である。
【図３】図１に示すレンズ鏡筒のワイド端の撮影状態での断面図である。
【図４】図３の部分拡大図である。
【図５】１群鏡筒の斜視図である。
【図６】２群鏡筒の斜視図である。
【図７】２群鏡筒、３群鏡筒、および絞りシャッターユニットの関係を示す斜視図である。
【図８】バリア機構の分解斜視図である。
【図９】バリア羽根の閉状態でのバリア機構の正面図である。
【図１０】バリア羽根の開状態でのバリア機構の正面図である。
【図１１】バリア羽根が開きかかった回転途中の状態でのバリア機構の正面図である。
【図１２】２対のバリア羽根を結像面側から見た図である。
【図１３】バリア駆動環と移動カム筒との関係を説明するための図である。
【符号の説明】
【００９３】
１      １群鏡筒
１ｅ    レール部
１ｋ    径嵌合穴
２      ２群鏡筒
２ｃ    溝
２ｄ    円柱面
２ｅ    テーパ面
３      ３群鏡筒
４      ４群鏡筒
１０    １群レンズ
１３    バリア駆動環
１３ａ  穴
１３ｄ  フランジ部
１３ｅ  レール部
１３ｈ  径嵌合部
１４    バリアカバー
１５    バリア内羽根
１６    バリア外羽根
１７    スプリング
２０    ２群レンズ
３０    ３群レンズ
４０    ４群レンズ
【図１】
0004948315.tif 000002
【図２】
0004948315.tif 000003
【図３】
0004948315.tif 000004
【図４】
0004948315.tif 000005
【図５】
0004948315.tif 000006
【図６】
0004948315.tif 000007
【図７】
0004948315.tif 000008
【図８】
0004948315.tif 000009
【図９】
0004948315.tif 000010
【図１０】
0004948315.tif 000011
【図１１】
0004948315.tif 000012
【図１２】
0004948315.tif 000013
【図１３】
0004948315.tif 000014